(57)【特許請求の範囲】
【請求項１】
外部記憶装置または外部ネットワークに接続され、前記外部記憶装置または前記外部ネットワークから符号化映像データを受信するデータ受信部と、
前記データ受信部に接続され、前記データ受信部が受信した前記符号化映像データを記憶する共有バッファ部と、
前記共有バッファ部に接続され、前記共有バッファ部に記憶された前記符号化映像データを解析して、映像データと対応再生時刻との関連付け情報を得るデータ解析部と、
前記データ解析部に接続され、前記符号化映像データの解析結果としての映像データと対応再生時刻との関連付け情報ならびに前記符号化映像データを蓄積するデータ蓄積部と、
を備え、
前記データ受信部による前記共有バッファ部への前記符号化映像データの記憶と、前記共有バッファ部に記憶された前記符号化映像データの前記データ解析部による解析とは、並行して行われるようになっており、
前記データ受信部によって前記共有バッファ部へ記憶される前記符号化映像データの量が前記共有バッファ部の容量を超えている場合、前記データ解析部による解析が終了した前記符号化映像データの部分に上書きすることによって前記共有バッファ部の容量を超えた前記符号化映像データの受信及び解析が可能となっており、
前記データ受信部による前記符号化映像データの前記共有バッファ部への記憶速度と、前記データ解析部による前記共有バッファ部に記憶された前記符号化映像データの解析速度とは、前記共有バッファ部の容量が許容する範囲内で制御されるようになっている
ことを特徴とする映像コンテンツ登録システム。
【請求項２】
前記データ受信部による前記符号化映像データの前記共有バッファ部への記憶速度と、前記データ解析部による前記共有バッファ部に記憶された前記符号化映像データの解析速度とは、巡回カウンタが０のときは、読込ポインタが解析ポインタより所定量以上先の位置となり、巡回カウンタが１のときは、解析ポインタが読込ポインタより所定量以上先の位置となるように、制御されるようになっている
ことを特徴とする請求項１に記載の映像コンテンツ登録システム。
【発明の詳細な説明】
【０００１】
【発明の属する技術分野】
本発明は、映像データをビデオサーバに登録する映像コンテンツ登録システムに係り、とりわけ、様々な外部記憶装置に記憶された映像データを「ビデオオンデマンドシステム」等において利用可能となるようにビデオサーバに登録する映像コンテンツ登録システムに関する。
【０００２】
【従来の技術】
映像データを映像コンテンツとして登録するビデオサーバは、符号化映像データが記録された記録媒体から当該符号化映像データを読み込むようになっている。ビデオサーバによる符号化映像データの読み込みの際には、記憶媒体は、ネットワーク等を介してビデオサーバに接続される。
【０００３】
記憶媒体は、独立した磁気テープや磁気ディスクの他、ネットワーク等を介してビデオサーバに接続された他のコンピュータシステム内の記憶装置等、多岐にわたっている。
【０００４】
ビデオサーバは更に、記憶媒体から読み込んだ符号化映像データを解析するようになっている。従来のビデオサーバは、符号化映像データの読み込み機能と、符号化映像データの解析機能とが一体化され、両機能が交互に実行されるようになっている。
【０００５】
【発明が解決しようとする課題】
しかしながら、ビデオサーバ内部において、符号化映像データを記憶媒体から読み込む機能と当該符号化映像データを解析する機能とが一体化していると、映像コンテンツの登録を行う際、符号化映像データの読み込みと符号化映像データの解析とを効率よく処理することが困難な場合がある。
【０００６】
具体的には、例えば、符号化映像データの読み込み負荷が増大した場合、符号化映像データの解析中断時間は長くなるが、その後、逆に符号化映像データの解析負荷が増大して、符号化映像データの読み込み中断時間が長くなる場合も生じ得る。この場合、映像コンテンツの登録作業は極めて長時間を要することとなる。
【０００７】
本発明は、このような点を考慮してなされたものであり、符号化映像データの読み込みと符号化映像データの解析とを効率よく処理することが可能な映像コンテンツ登録システムを提供することを目的とする。
【０００８】
【課題を解決するための手段】
本発明は、外部記憶装置または外部ネットワークに接続され、前記外部記憶装置または前記外部ネットワークから符号化映像データを受信するデータ受信部と、前記データ受信部に接続され、前記データ受信部が受信した前記符号化映像データを記憶する共有バッファ部と、前記共有バッファ部に接続され、前記共有バッファ部に記憶された前記符号化映像データを解析して、映像データと対応再生時刻との関連付け情報を得るデータ解析部と、前記データ解析部に接続され、前記符号化映像データの解析結果としての映像データと対応再生時刻との関連付け情報ならびに前記符号化映像データを蓄積するデータ蓄積部と、を備え、前記データ受信部による前記共有バッファ部への前記符号化映像データの記憶と、前記共有バッファ部に記憶された前記符号化映像データの前記データ解析部による解析とは、並行して行われるようになっており、前記データ受信部によって前記共有バッファ部へ記憶される前記符号化映像データの量が前記共有バッファ部の容量を超えている場合、前記データ解析部による解析が終了した前記符号化映像データの部分に上書きすることによって前記共有バッファ部の容量を超えた前記符号化映像データの受信及び解析が可能となっており、前記データ受信部による前記符号化映像データの前記共有バッファ部への記憶速度と、前記データ解析部による前記共有バッファ部に記憶された前記符号化映像データの解析速度とは、前記共有バッファ部の容量が許容する範囲内で制御されるようになっていることを特徴とする映像コンテンツ登録システム。
【０００９】
本発明によれば、データ受信部とデータ解析部とが分離されており、符号化映像データの読み込みと符号化映像データの解析とを並行処理することが可能であるため、処理の効率が顕著に向上する。また、本発明では、そのような並行処理によって実施される符号化映像データの解析によって、映像データと対応再生時刻との関連付け情報が得られてデータ蓄積部に蓄積されるため、いわゆる「ビデオオンデマンド」として利用可能な映像コンテンツの登録が実現される。
また、好ましくは、前記データ受信部による前記符号化映像データの前記共有バッファ部への記憶速度と、前記データ解析部による前記共有バッファ部に記憶された前記符号化映像データの解析速度とは、巡回カウンタが０のときは、読込ポインタが解析ポインタより所定量以上先の位置となり、巡回カウンタが１のときは、解析ポインタが読込ポインタより所定量以上先の位置となるように、制御されるようになっている。この場合、読込ポインタと解析ポインタの前後関係の判別において所定量の余裕を設けているため、誤作動の生じる確率を顕著に低減するとができる。
【００１０】
【発明の実施の形態】
以下、図面を参照して本発明の実施の形態について説明する。
【００１１】
図１は、本発明の第１の実施の形態による映像コンテンツ登録システムを示す構成概略図である。図１に示すように、本発明の第１の実施の形態の映像コンテンツ登録システム１０は、映像コンテンツの登録及び配信を行うビデオサーバ１０１と、ビデオサーバ１０１にネットワーク１１０を介して接続されたクライアント装置１０２及びコンピュータ１０３とを備えている。
【００１２】
クライアント装置１０２は、ビデオサーバ１０１に対して映像コンテンツの登録要求を行う端末であるが、ビデオサーバ１０１自身が兼ねることもできる。
【００１３】
ネットワーク１１０は、例えばＥｔｈｅｒｎｅｔやＡＴＭである。
【００１４】
本実施の形態では、コンピュータ１０３に外部記憶装置１０４が接続されており、外部記憶装置１０４内に登録の対象となる符号化映像データが記憶されている。符号化映像データは、映像データをＭＰＥＧ等によって符号化したものである。また、ビデオサーバ１０１には、登録された映像コンテンツを記憶する外部記憶装置１０５が接続されている。外部記憶装置１０４及び１０５は、それぞれ、磁気テープや磁気ディスク等によって構成される。
【００１５】
図２は、ビデオサーバ１０１を示す構成概略図である。図２に示すように、ビデオサーバ１０１は、主制御部１２０と、主制御部１２０に接続され主制御部１２０によって制御されるデータ受信部１２１、データ解析部１２２及びデータ蓄積部１２３を有している。
【００１６】
主制御部１２０は、ネットワーク１１０を介してクライアント装置１０２に接続され、クライアント装置１０２からの各種の要求に応じて、データ受信部１２１、データ解析部１２２及びデータ蓄積部１２３を制御するようになっている。
【００１７】
データ受信部１２１は、ネットワーク１１０等を介して外部記憶装置１０４に接続され、外部記憶装置１０４から符号化映像データを受信できるようになっている。データ受信部１２１には、データ受信部１２１が受信した符号化映像データを記憶する共有バッファ部１２４が接続されている。一方、共有バッファ部１２４は、データ解析部１２２にも接続されており、データ解析部１２２は共有バッファ部１２４に記憶された符号化映像データを解析できるようになっている。
【００１８】
データ受信部１２１による共有バッファ部１２４への符号化映像データの記憶と、共有バッファ部１２４に記憶された符号化映像データのデータ解析部１２２による解析とは、並行して行われるようになっている。
【００１９】
また、データ受信部１２１によって共有バッファ部１２４へ記憶される符号化映像データの量が共有バッファ部１２４の容量を超えている場合、データ解析部１２２による解析が終了した符号化映像データの部分に上書きすることによって共有バッファ部１２４の容量を超えた符号化映像データの受信及び解析が可能にとなっている。
【００２０】
また、データ受信部１２１による符号化映像データの共有バッファ部１２４への記憶速度と、データ解析部１２２による共有バッファ部１２４に記憶された符号化映像データの解析速度とは、共有バッファ部１２４の容量が許容する範囲内で制御されるようになっている。具体的には、図３（ａ）乃至図３（ｃ）に示すように、読込ポインタＲＰと、解析ポインタＡＰと、巡回カウンタとを用いて制御されるようになっている。
【００２１】
読込ポインタＲＰは、データ受信部１２１が共有バッファ部１２４に書き込んだデータの最後の位置を示すポインタである。読込ポインタＲＰは、共有バッファ部１２４の最後尾に達したら、共有バッファ部１２４の先頭に戻るようになっている。
【００２２】
解析ポインタＡＰは、データ解析部１２２が共有バッファ部１２４から読み込んで解析したデータの最後の位置を示すポインタである。解析ポインタＡＰも、共有バッファ部１２４の最後尾に達したら、共有バッファ部１２４の先頭に戻るようになっている。
【００２３】
巡回カウンタは、初期値は０であり（図３（ａ）参照）、データ受信部１２１が共有バッファ部１２４の最後尾まで記憶を行い、読込ポインタＲＰが再び共有バッファ部１２４の先頭に戻った際に１増える（図３（ｂ）参照）。逆に、データ解析部１２２が共有バッファ部１２４の最後尾まで解析を行い、解析ポインタＡＰが再び共有バッファ部１２４の先頭に戻った際には、巡回カウンタは１減る（図３（ｃ）参照）。
【００２４】
従って、巡回カウンタが０のときは、読込ポインタＲＰが解析ポインタＡＰより先の位置または同じ位置となる範囲内で、巡回カウンタが１のときは、解析ポインタＡＰが読込ポインタＲＰより先の位置または同じ位置となる範囲内で、データ受信部１２１による符号化映像データの共有バッファ部１２４への記憶速度と、データ解析部１２２による共有バッファ部１２４に記憶された符号化映像データの解析速度とが制御されるようになっている。
【００２５】
本実施の形態のデータ解析部１２２は、符号化映像データから、映像データと対応再生時刻との関連付け情報を解析するようになっている。ＭＰＥＧで符号化されたデータには、再生時刻情報が付加されているので、このような情報解析は容易である。この関連付け情報は、登録された映像コンテンツを任意の時点から配信可能とするために有効な情報である。
【００２６】
また、データ蓄積部１２３は、データ解析部１２２にも接続され、符号化映像データの解析結果を蓄積できるようになっている。すなわち、この場合、映像データ及び映像データおよび符号化映像データと対応再生時刻との関連付け情報を蓄積するようになっている。
【００２７】
なお、図２では、データ受信部１２１、データ解析部１２２及び共有バッファ部１２４は、各々１個が図示されているのみであるが、ビデオサーバ１０１は、複数の符号化映像データの読み込み（受信）及び解析を同時に行えるよう、データ受信部１２１、データ解析部１２２及び共有バッファ部１２４を複数組有している。
【００２８】
次に、このような構成よりなる本実施の形態の作用について説明する。
【００２９】
まずクライアント装置１０２において、映像コンテンツの登録を要求するための登録要求信号が作成される。例えば図４に示すように、クライアント装置１０２の表示装置等に映像コンテンツ登録メニューが表示される（ＳＴＥＰ０１）。登録要求を行うオペレータは、登録メニューによる案内に従って、登録する映像データに付けるタイトル名を入力し（ＳＴＥＰ０２）、登録対象の符号化映像データが記憶されている記憶媒体名（この場合、外部記憶装置１０４）を選択すると共に、当該符号化映像データ名を入力する（ＳＴＥＰ０３、ＳＴＥＰ０４）。
【００３０】
オペレータによる情報の入力が終了すると、入力情報がパケット化される（ＳＴＥＰ０５）。その後、クライアント装置１０２は、ビデオサーバ１０１に対してコネクション確立要求を送信し（ＳＴＥＰ０６）、コネクションが確立された後に、パケット化された情報をビデオサーバ１０１に送信する（ＳＴＥＰ０７）。
【００３１】
一方、ビデオサーバ１０１は、クライアント装置１０２とのコネクションが確立すると（ＳＴＥＰ１１）、主制御部１２０が、クライアント装置１０２から送られるパケット情報を受信する。ここで、パケット情報を受信すると（ＳＴＥＰ１２）、残りの情報の受信に先立って、あるいは残りの情報の受信と並行して、当該パケット情報の登録処理に関するストリーム番号を発行して割り当てる（ＳＴＥＰ１３）。ビデオサーバ１０１に略同時に複数のパケット情報が送られた場合でも、それらの情報には各々異なるストリーム番号が割り当てられる。
【００３２】
主制御部１２０は、当該ストリーム番号に対するデータ受信部１２１及び共有バッファ部１２４を割り当てる（ＳＴＥＰ１４）。割り当てが正常に終了すると、データ受信準備完了通知が主制御部１２０に送られる。全ての共有バッファ部１２４が使用中である等の理由で、データ受信準備が行えない場合には、その旨が主制御部１２０に通知される。
【００３３】
データ受信部１２１及び共有バッファ部１２４の割り当てが正常に行われた場合、主制御部１２０は、続いてデータ解析部１２２を割り当てる（ＳＴＥＰ１５）。この割り当てによって、共有バッファ部１２４に記憶された映像データを解析する解析データ部１２２が特定される。割り当てが正常に終了すると、データ解析準備完了通知が主制御部１２０に送られる。
【００３４】
主制御部１２０は、データ解析部１２２からデータ解析準備完了通知を受信すると、クライアント装置１０２から送られるパケット化情報のうち符号化映像データの格納先、すなわち記憶媒体名及び符号化映像データ名を、対応するストリーム番号を割り当てたデータ受信部１２１に送る。
【００３５】
当該データ受信部１２１は、主制御部１２０を介して送られた記憶媒体名及び符号化映像データ名に基づいて、当該符号化映像データを一定のサイズ毎に受信する。この場合、外部記憶装置１０４から、符号化映像データを受信する。データ受信部１２１が受信した符号化映像データは、直ちに対応する共有バッファ部１２４に記憶される。
【００３６】
当該共有バッファ部１２４に対応して割り当てられたデータ解析部１２２は、データ受信部１２１による符号化映像データの共有バッファ部１２４への記憶と並行して、共有バッファ部１２４に記憶された符号化映像データの解析を行う（ＳＴＥＰ１６）。
【００３７】
データ受信部１２１によって共有バッファ部１２４へ記憶される符号化映像データの量が共有バッファ部１２４の容量を超えている場合、データ解析部１２２による解析が終了した符号化映像データの部分に上書きする。この時、データ受信部１２１による符号化映像データの共有バッファ部１２４への記憶速度と、データ解析部１２２による共有バッファ部１２４に記憶された符号化映像データの解析速度とは、共有バッファ部１２４の容量が許容する範囲内で制御されるようになっている。
【００３８】
具体的には、図３（ａ）乃至図３（ｃ）に示すように、巡回カウンタが０のときは、読込ポインタＲＰが解析ポインタＡＰより先の位置または同じ位置となる範囲内で、巡回カウンタが１のときは、解析ポインタＡＰが読込ポインタＲＰより先の位置または同じ位置となる範囲内で、データ受信部１２１による符号化映像データの共有バッファ部１２４への記憶速度と、データ解析部１２２による共有バッファ部１２４に記憶された符号化映像データの解析速度とが制御される。
【００３９】
例えば、巡回カウンタが１で、読込ポインタＲＰが解析ポインタＡＰに追いついた場合には、受信した符号化映像データを記憶させる領域が共有バッファ部１２４に存在しないので、データ受信部１２１からの記憶がしばらく中断する。この中断は、例えばデータ解析部１２２からデータ受信再開通知を受けることによって解除される。
【００４０】
あるいは、巡回カウンタが０で、解析ポインタＡＰが読込ポインタＲＰに追いついた場合には、受信した符号化映像データが共有バッファ部１２４に一定のサイズ分書き込まれるまで、データ解析部１２２による解析が中断する。この中断は、例えばデータ受信部１２１からデータ解析再開通知を受けることによって解除される。
【００４１】
データ解析部１２２は、符号化映像データを解析して、復号しない再生時刻と映像データの位置との関連付け情報を作成する。符号化映像データの受信、記憶及び解析は、符号化映像データの最後尾が検出されるまで行われる。一定量の解析が終了すると、データ解析部１２２は、解析結果を主制御部１２０へ通知する。
【００４２】
解析結果としての映像データ及び前記関連付け情報は、データ蓄積部１２３に蓄積される。主制御部１２０は、関連付け情報のうちの再生時刻と、外部記憶装置１０５のセクタとの対応付けを行い、データ蓄積部１２３から外部記憶装置１０５の対応セクタに映像データを蓄積させる。これにより、いわゆる「ビデオオンデマンド」として利用可能な映像コンテンツの登録が実現される。
【００４３】
なお、受信した符号化映像データの最後尾は、外部記憶装置１０４から読み込んだ符号化映像データ自体から検出されるが、クライアント装置１０２がビデオサーバ１０１と異なる場合には、クライアント装置１０２において最後尾を検出してビデオサーバ１０１に通知することも可能である。
【００４４】
主制御部１２０は、映像データの最後尾を判別した際、例えばフラグを立てるなどして、ストリーム番号と共にデータ解析部１２２へ登録終了指令を送る。データ解析部１２２は、登録終了指令を受けると、共有バッファ部に記憶された映像データを解析後、解析ポインタＡＰのリセットを行う。次に、ストリーム番号と共にデータ受信部１２１ヘデータ受信終了通知を行う。データ受信部１２１は、データ受信終了通知を受けると、読込ポインタＲＰ及び巡回カウンタのリセットを行い、続いてストリーム番号と共有バッファ部１２４との関連付けを解消する。最後に、主制御部１２０は、クライアント装置１０２に映像コンテンツ登録の終了を通知する。
【００４５】
クライアント装置１０２は、ビデオサーバ１０１から映像コンテンツ登録終了の通知を受けると、ビデオサーバ１０１とのコネクションを切断する。
【００４６】
以上のように、本実施の形態によれば、データ受信部１２１とデータ解析部１２２とが分離されており、符号化映像データの読み込みと符号化映像データの解析とを並行処理することが可能であるため、映像コンテンツの登録処理の効率が顕著に向上する。
【００４７】
次に、本発明の第２の実施の形態の映像コンテンツ登録システムについて図６を用いて説明する。図６は、本発明の第２の実施の形態の映像コンテンツ登録システム１０における読込ポインタＲＰ、解析ポインタＡＰ及び巡回カウンタの関係を示す図である。
【００４８】
本実施の形態では、データ受信部１２１による符号化映像データの共有バッファ部１２４への記憶速度と、データ解析部１２２による共有バッファ部１２４に記憶された符号化映像データの解析速度とが、巡回カウンタが０のときは、読込ポインタＲＰが解析ポインタＡＰより所定量以上先の位置となり、巡回カウンタが１のときは、解析ポインタＡＰが読込ポインタＲＰより所定量以上先の位置となるように、制御されるようになっている。
【００４９】
その他の構成は、図１乃至図５に示す第１の実施の形態と同様である。第２の実施の形態において、図１乃至図５に示す第１の実施の形態と同一の部分には同一の符号を付して詳細な説明は省略する。
【００５０】
本実施の形態では、読込ポインタＲＰと解析ポインタＡＰの前後関係の判別において所定量の余裕を設けているため、誤作動の生じる確率を顕著に低減するとができる。
【００５１】
次に、本発明の第３の実施の形態の映像コンテンツ登録システムについて図７を用いて説明する。図７は、本発明の第３の実施の形態の映像コンテンツ登録システム１０における読込ポインタＲＰ、解析ポインタＡＰ、データ解析部１２２がデータ解析のために共有バッファ部１２４から取り込んだデータの最後の位置を示す取込ポインタＴＰ及び巡回カウンタの関係を示す図である。
【００５２】
本実施の形態では、データ受信部１２１による符号化映像データの共有バッファ部１２４への記憶速度と、データ解析部１２２による共有バッファ部１２４に記憶された符号化映像データの解析速度とが、巡回カウンタが０のときは、読込ポインタＲＰが取込ポインタＴＰより先の位置または同じ位置となり、巡回カウンタが１のときは、取込ポインタＴＰが読込ポインタＲＰより先の位置または同じ位置となるように、制御されるようになっている。
【００５３】
その他の構成は、図１乃至図５に示す第１の実施の形態と同様である。第２の実施の形態において、図１乃至図５に示す第１の実施の形態と同一の部分には同一の符号を付して詳細な説明は省略する。
【００５４】
本実施の形態では、解析ポインタＡＰの代わりに取込ポインタＴＰを用いて、データ受信部１２１による符号化映像データの共有バッファ部１２４への記憶速度と、データ解析部１２２による共有バッファ部１２４に記憶された符号化映像データの解析速度とを制御して第２形態における余裕を動的に制御できるため、第２の形態よりも、映像コンテンツの登録処理の効率が更に向上する。
【００５５】
次に、本発明の第４の実施の形態の映像コンテンツ登録システムについて図８を用いて説明する。図８は、本発明の第４の実施の形態の映像コンテンツ登録システムの構成概略図である。
【００５６】
図８に示すように、本実施の形態の映像コンテンツ登録システム１０は、データ蓄積部１２３に、符号化映像データの解析結果に付随させる補助データを入力する補助入力部１２５が接続されている他は、図１乃至図５に示す第１の実施の形態と同様の構成である。第４の実施の形態において、図１乃至図５に示す第１の実施の形態と同一の部分には同一の符号を付して詳細な説明は省略する。
【００５７】
本実施の形態によれば、例えば映像データに関する説明文や文字データ等を、符号化映像データの解析結果と併せて登録させることが可能である。
【００５８】
なお、補助入力部１２５に対する入力操作は、クライアント装置１０２から行えるようになっていることが好ましい。
【００５９】
【発明の効果】
以上説明したように、本発明によれば、データ受信部とデータ解析部とが分離されており、符号化映像データの読み込みと符号化映像データの解析とを並行処理することが可能であるため、処理の効率が顕著に向上する。また、本発明では、そのような並行処理によって実施される符号化映像データの解析によって、映像データと対応再生時刻との関連付け情報が得られてデータ蓄積部に蓄積されるため、いわゆる「ビデオオンデマンド」として利用可能な映像コンテンツの登録が実現される。
【図面の簡単な説明】
【図１】本発明による映像コンテンツ登録システムの第１の実施の形態を示す構成概略図。
【図２】図１の映像コンテンツ登録システムにおけるビデオサーバの構成を示す構成概略図。
【図３】図１の映像コンテンツ登録システムにおける読込ポインタ、解析ポインタ及び巡回カウンタの関係を示す図。
【図４】図１の映像コンテンツ登録システムにおけるクライアント装置の作用を示すフロー図。
【図５】図１の映像コンテンツ登録システムにおけるビデオサーバの作用を示すフロー図。
【図６】本発明による映像コンテンツ登録システムの第２の実施の形態における読込ポインタ、解析ポインタ及び巡回カウンタの関係を示す図。
【図７】本発明による映像コンテンツ登録システムの第３の実施の形態における読込ポインタ、解析ポインタ、取込ポインタ及び巡回カウンタの関係を示す図。
【図８】本発明による映像コンテンツ登録システムの第４の実施の形態におけるビデオサーバの構成を示す構成概略図。
【符号の説明】
１０  映像コンテンツ登録システム
１０１  ビデオサーバ
１０２  クライアント装置
１０３  コンピュータ
１０４  外部記憶装置
１０５  外部記憶装置
１２０  主制御部
１２１  データ受信部
１２２  データ解析部
１２３  データ蓄積部
１２４  共有バッファ部
１２５  補助入力部
【図１】
0003999408.tif 000002
【図２】
0003999408.tif 000003
【図３】
0003999408.tif 000004
【図４】
0003999408.tif 000005
【図５】
0003999408.tif 000006
【図６】
0003999408.tif 000007
【図７】
0003999408.tif 000008
【図８】
0003999408.tif 000009